(57)【要約】【課題】水を噴射させたい位置に洗浄ノズルを動かし、水を噴射させることで、食器が良好に洗浄されるとともに、大きな食器を洗浄槽内にセットする場合、洗浄ノズルを動かすことで容易にセットすることが可能である食器洗い機を提供する。【解決手段】食器洗い機１００の筐体１の内部に設けられた洗浄槽２は、食器かご３と、食器かご３に載置された食器１８に向けて水を噴射する回転洗浄ノズル１１，１１、及び固定洗浄ノズル２０と、送水ポンプ７とを備えている。固定洗浄ノズル２０は、洗浄槽２の背面に沿って延びる送水部２０ａを備え、送水部２０ａの中途部には、取付部２０ｃを介し変位ノズル部２１が設けられている。変位ノズル部２１の基端部２１ａが取付部２０ｃに対し回転することで、延設部２１ｂの洗浄槽２内の位置が変えられる。【選択図】図１
2008005897.tif 000002
【特許請求の範囲】
【請求項１】
食器が収容される洗浄槽と、
前記食器に水を噴射する複数の噴射口を有する洗浄ノズルと、
前記洗浄槽に貯めた洗浄水を前記洗浄ノズルに送水するポンプと
を備える食器洗い機において、
前記洗浄ノズルは、
前記洗浄槽の背面に沿って延びる送水部と、
該送水部の中途部から、取付部を介し前記洗浄槽内に位置可変に突出した変位ノズル部と
を備えることを特徴とする食器洗い機。
【請求項２】
前記変位ノズル部は、基端部が前記取付部にノッチ機構により嵌められている請求項１に記載の食器洗い機。
【請求項３】
前記変位ノズル部は、前記洗浄槽の背面近傍まで移動した場合に、噴射口から水が噴射されないように構成されている請求項１又は２に記載の食器洗い機。
【請求項４】
前記変位ノズル部の基端部の内面には、複数のノッチ受けが形成され、
前記取付部は、前記ノッチ受けに嵌合するノッチを備え、
該ノッチと前記ノッチ受けとの組み合わせが変更することにより、前記変位ノズル部の基端部から他部への送水量が制御されるように構成されており、
前記変位ノズル部が前記洗浄槽の背面近傍の位置まで移動した場合に、前記ノッチが前記位置に対応するノッチ受けに嵌合することにより、該変位ノズル部の基端部から他部への送水が遮断される請求項３に記載の食器洗い機。
【請求項５】
前記変位ノズル部は、
基端部に延設された延設部と、
該延設部の延びる方向に内設された仕切り部と、
表面の前記仕切り部を挟む両側に設けられた噴射口と
を備え、
前記取付部は、前記基端部の内面に係止される係止部を備え、
前記基端部が前記取付部に対し回転して、前記係止部の前記内面への係止部位が変化することにより、前記基端部から延設部への送水量が制御されるように構成されており、
前記延設部が前記洗浄槽の背面近傍の位置まで移動して、前記係止部が前記内面に係止された場合に、前記基端部から前記延設部の仕切り部の内側へのみ送水され、該仕切り部の内側に設けられた噴射口から水が噴射される請求項１又は２に記載の食器洗い機。
【請求項６】
前記変位ノズル部は、
前記取付部に回転可能に取り付けられた腕部と、
複数の噴射口を有し、前記腕部の先端部に回転可能に取り付けられた回転噴射部と
を備える請求項２乃至４のいずれか１つに記載の食器洗い機。
【発明の詳細な説明】
【技術分野】
【０００１】
本発明は、洗浄能力が良好である食器洗い機に関する。
【背景技術】
【０００２】
従来の食器洗い機は、特許文献１及び特許文献２に示されるように、洗浄性能を向上させるため、食器が収容される洗浄槽の中央部付近の水平方向及び縦方向に、洗浄ノズルを配置していた。また、洗浄ノズルを複数段構造の食器かご内に設け、大きな食器を洗浄する場合、上の段のかごを取り除くと同時に、洗浄ノズルが外れる構造を有する食器洗い機も開発されていた。
【０００３】
図１１は、従来の食器洗い機１０２を示す模式的正面図である。
食器洗い機１０２は、洗浄する食器５８を収納する洗浄槽４２を筐体４１の内部に設けており、洗浄槽４２の内部には、食器５８を載置する食器かご４３と、食器かご４３の下側に配置され、食器かご４３に載置された食器５８に向けて水を噴射する回転可能な回転洗浄ノズル５１，５１と、洗浄槽４２の背面に沿って設けられた固定洗浄ノズル５３と、回転洗浄ノズル５１，５１及び固定洗浄ノズル５３に加圧水を供給する送水ポンプ４７と、洗浄槽４２内の洗浄水を加熱するヒータ４４とを備えている。
【０００４】
洗浄槽４２の側壁には、外部から洗浄槽４２へ給水するための給水管５６が配設されており、給水管５６は給水管５６を開放又は閉塞する給水弁５５を備えている。
洗浄槽４２の底面部の正面側左寄り下部には、制御部５２が備えられている。
洗浄槽４２の底面部の正面側右寄り部分には、洗浄槽４２の内部に給水された水を貯留する貯留部４２ａが凹設されている。前記送水ポンプ４７は、吸い込み管４６を介して貯留部４２ａに接続されている。送水ポンプ４７には、送水ポンプ４７に内設されたインペラ４７ａを回転させるための正逆回転式のモータ４８が接続されている。
【０００５】
送水ポンプ４７の上部には、吐出管４９と排水管５０とが設けられている。
インペラ４７ａが正回転する場合、吸い込み管４６から吸い込んだ水が、吐出管４９を介して、回転洗浄ノズル５１，５１及び固定洗浄ノズル５３へ送られ、回転洗浄ノズル５１，５１及び固定洗浄ノズル５３から水が噴射される。
インペラ４７ａが逆回転する場合、貯留部４２ａ内の水が、排水管５０へ送水され、外部へ排水される。
【０００６】
以上のように構成された食器洗い機１０２においては、給水弁５５が開いて、水道水が洗浄槽４２へ給水され、貯留部４２ａに所定量の水が洗浄水として貯められる。そして、モータ４８によりインペラ４７ａが回転し、前記洗浄水が吸い込み管４６を通って送水ポンプ４７へ吸水され、吐出管４９を介して回転洗浄ノズル５１，５１及び固定洗浄ノズル５３へ送られ、回転洗浄ノズル５１，５１及び固定洗浄ノズル５３に設けられた噴出口から洗浄槽４２内の食器かご４３に設置された食器５８に向けて放水される。この放水の反作用により回転洗浄ノズル５１，５１が回転する。
【０００７】
放水された洗浄水は残菜フィルタ４５により濾過されて貯留部４２ａに戻り、再び送水ポンプ４７に吸引される。洗浄水はヒータ４４により加熱される。洗浄水は、経路途上に設けられた水温センサ（図示せず）により水温を検出され、制御部５２により、水温及び洗浄時間が制御される。
【０００８】
所定時間、洗浄工程が実施された後、汚れた洗浄水は送水ポンプ４７により排水管５０を通され、外部へ排出される。
次に、すすぎ工程が実施される。このすすぎ工程は食器５８の汚れ度合いに応じ、任意にすすぎ回数を設定することが可能となっている。
【０００９】
すすぎ工程終了後、乾燥工程が実施される。送風ファン（図示せず）が作動し、吸気口より乾燥した外部の空気が吸気され、送風ダクト（図示せず）を経由し、送風口よりヒータ４４近傍に送風され、その送風により洗浄槽内の湿った空気が押し出されて、ドアに設けられた排気口より排出される。
食器５８の乾燥を促進するために、センサから検出された温度に基づき制御部５２によりヒータ４４に通電し、洗浄槽４２内の温度制御が行なわれる。
【特許文献１】特許第３１９６３７１号公報
【特許文献２】特許第３４３５９５３号公報
【発明の開示】
【発明が解決しようとする課題】
【００１０】
上述したように、従来の食器洗い機の中には、洗浄槽内に設けられた複数段の食器かごに載置した食器を洗浄するために、洗浄槽内に突出した洗浄ノズルを設け、より高い洗浄性能を得ようとしていたものがあった。
しかし、洗浄槽内に大きな食器をセットしようとした場合、洗浄槽に突出した洗浄ノズルに妨害されてセットすることが出来ず、該食器を洗浄することが出来ないという問題があった。
また、洗浄ノズルを食器かご内に設け、大きな食器を洗浄する場合には、上の段のかごを取り除き、洗浄ノズルも同時に外す構成では、洗浄性能が低下することになるという問題があった。
さらに、回転洗浄ノズルの場合、載置された食器により回転が妨げられ、洗浄性能が低下するおそれがあった。
【００１１】
本発明は斯かる事情に鑑みてなされたものであり、洗浄ノズルが、洗浄ノズルの送水部の中途部から、取付部を介し洗浄槽内に位置可変に突出した変位ノズル部を備えることにより、水を噴射させたい位置に変位ノズル部を動かし、水を噴射させることで、食器が良好に洗浄されるとともに、大きな食器を洗浄槽内にセットする場合、変位ノズル部を動かすことで容易にセットすることが可能であり、洗浄性能が良好である食器洗い機を提供することを目的とする。
【００１２】
また、本発明は、変位ノズル部の基端部が取付部にノッチ機構により嵌められることより、食器の洗浄中に、不用意に変位ノズル部の位置が変わることがない食器洗い機を提供することを目的とする。
【００１３】
そして、本発明は、洗浄槽の背面近傍まで移動したときに、噴射口から水が噴射されない構造とすることにより、食器の洗浄中に、噴射口から噴射した水が洗浄槽の背面を叩き、騒音が発生するのが防止される食器洗い機を提供することを目的とする。
【００１４】
さらに、本発明は、変位ノズル部の基端部の内面に、複数のノッチ受けが形成され、取付部は、ノッチ受けに嵌合するノッチを備え、ノッチとノッチ受けとの組み合わせが変更することで、変位ノズル部の基端部から他部への送水量が制御されるように構成されることにより、ノッチが水壁の機能を有し、変位ノズル部への分水性が良好である食器洗い機を提供することを目的とする。
【００１５】
また、本発明は、変位ノズル部が、延設部の延びる方向に内設された仕切り部と、表面の仕切り部を挟む両側に設けられた噴射口とを備え、延設部が洗浄槽の背面近傍まで移動し、取付部の係止部が変位ノズル部の基端部の内面に係止した場合に、基端部から延設部の仕切り部の内側へのみ送水され、仕切り部の内側に設けられた噴射口から水が噴射されるように構成することにより、洗浄槽の背面に当たって生じる洗浄水の騒音を低減するとともに、洗浄槽の内側に向かう噴射は行うことで洗浄性能は維持される食器洗い機を提供することを目的とする。
【００１６】
そして、本発明は、変位ノズル部が、取付部に回転可能に取り付けられた腕部と、複数の噴射口を有し、腕部の先端部に回転可能に取り付けられた回転噴射部とを備えることにより、より均一な噴射性能が得られ、洗浄性能が良好である食器洗い機を提供することを目的とする。
【課題を解決するための手段】
【００１７】
本発明に係る食器洗い機は、食器が収容される洗浄槽と、前記食器に水を噴射する複数の噴射口を有する洗浄ノズルと、前記洗浄槽に貯めた洗浄水を前記洗浄ノズルに送水するポンプとを備える食器洗い機において、前記洗浄ノズルは、前記洗浄槽の背面に沿って延びる送水部と、該送水部の中途部から、取付部を介し前記洗浄槽内に位置可変に突出した変位ノズル部とを備えることを特徴とする。
【００１８】
本発明においては、変位ノズル部を任意の位置に動かすことが出来るので、汚れのひどい食器が配される等しており、水を噴射させたい位置に変位ノズル部を動かし、水を噴射させることで、食器が良好に洗浄される。
そして、食器の出し入れの際、変位ノズル部は邪魔にならない位置に移動させることが出来るので、使用性が優れている。また、大きな食器を洗浄槽内にセットする場合、変位ノズル部を動かすことで容易にセットすることが可能である。
さらに、食器かごが複数段のかごを有する場合、かご間に変位ノズル部を配することにより、所定の段のかごにセットされた食器を集中的に洗浄することが出来、大きな食器を食器かごにセットする場合は、所定のかごを取り外し、変位ノズル部は取り外すことなく、他のかごにセットされた食器を洗浄することが可能である。
従って、本発明の食器洗い機は、洗浄性能の信頼性が良好である、
【００１９】
本発明に係る食器洗い機は、前記変位ノズル部は、基端部が前記取付部にノッチ機構により嵌められていることを特徴とする。
【００２０】
本発明においては、変位ノズル部は、基端部が前記取付部にノッチ機構により嵌められているので、食器の洗浄中に、不用意に変位ノズル部の位置が変わることがない。
【００２１】
本発明に係る食器洗い機は、前記変位ノズル部は、前記洗浄槽の背面近傍まで移動した場合に、噴射口から水が噴射されないように構成されていることを特徴とする。
【００２２】
本発明においては、洗浄槽の背面近傍まで移動したときに、噴射口から水が噴射されない構造とされているので、食器の洗浄中に、噴射口から噴射した水が洗浄槽の背面を叩き、騒音が発生するのが防止される。
【００２３】
本発明に係る食器洗い機は、前記変位ノズル部の基端部の内面には、複数のノッチ受けが形成され、前記取付部は、前記ノッチ受けに嵌合するノッチを備え、該ノッチと前記ノッチ受けとの組み合わせが変更することにより、前記変位ノズル部の基端部から他部への送水量が制御されるように構成されており、前記変位ノズル部が前記洗浄槽の背面近傍の位置まで移動した場合に、前記ノッチが前記位置に対応するノッチ受けに嵌合することにより、該変位ノズル部の基端部から他部への送水が遮断されることを特徴とする。
【００２４】
本発明においては、ノッチが水壁の機能を有し、変位ノズル部への分水性が良好である。
【００２５】
本発明に係る食器洗い機は、前記変位ノズル部は、基端部に延設された延設部と、該延設部の延びる方向に内設された仕切り部と、表面の前記仕切り部を挟む両側に設けられた噴射口とを備え、前記取付部は、前記基端部の内面に係止される係止部を備え、前記基端部が前記取付部に対し回転して、前記係止部の前記内面への係止部位が変化することにより、前記基端部から延設部への送水量が制御されるように構成されており、前記延設部が前記洗浄槽の背面近傍の位置まで移動して、前記係止部が前記内面に係止された場合に、前記基端部から前記延設部の仕切り部の内側へのみ送水され、該仕切り部の内側に設けられた噴射口から水が噴射されることを特徴とする。
【００２６】
本発明においては、洗浄槽の背面近傍まで移動したときに、変位ノズル部が接近している背面方向に向かっては水が噴射せず、洗浄槽の内側に向かってのみ噴射するので、洗浄槽の背面に当たって生じる洗浄水の騒音を低減するとともに、洗浄槽の内側に向かう噴射は行われるので洗浄性能は維持される。
【００２７】
本発明に係る食器洗い機は、前記変位ノズル部は、前記取付部に回転可能に取り付けられた腕部と、複数の噴射口を有し、前記腕部の先端部に回転可能に取り付けられた回転噴射部とを備えることを特徴とする。
【００２８】
本発明においては、変位ノズル部が回転噴射部を備えるので、より均一な噴射性能が得られ、洗浄性能が良好である。そして、食器かごに載置された食器により回転が妨げられない位置に回転噴射部を配することが出来る。
【発明の効果】
【００２９】
本発明によれば、洗浄ノズルが、洗浄ノズルの送水部の中途部から、取付部を介し洗浄槽内に位置可変に突出した変位ノズル部を備えるので、水を噴射させたい位置に変位ノズル部を動かし、水を噴射させることで、食器が良好に洗浄される。
また、大きな食器を洗浄槽内にセットする場合、変位ノズル部を動かすことで容易にセットすることが可能である。
食器かごが複数段のかごを有する場合、かご間に変位ノズル部を配することにより、所定の段のかごにセットされた食器を集中的に洗浄することが出来、大きな食器を食器かごにセットする場合は、所定のかごを取り外し、変位ノズル部は取り外すことなく、他のかごにセットされた食器を洗浄することが可能である。
【００３０】
本発明によれば、変位ノズル部の基端部が取付部にノッチ機構により嵌められるので、食器の洗浄中に、不用意に変位ノズル部の位置が変わることがない。
【００３１】
本発明によれば、洗浄槽の背面近傍まで移動したときに、噴射口から水が噴射されない構造とされているので、食器の洗浄中に、噴射口から噴射した水が洗浄槽の背面を叩き、騒音が発生するのが防止されている。
【００３２】
本発明によれば、変位ノズル部の基端部の内面に、複数のノッチ受けが形成され、取付部は、ノッチ受けに嵌合するノッチを備え、ノッチとノッチ受けとの組み合わせが変更することで、変位ノズル部の基端部から他部への送水量が制御されるように構成されているので、ノッチが水壁の機能を有し、変位ノズル部への分水性が良好である。
【００３３】
本発明によれば、変位ノズル部が、延設部の延びる方向に内設された仕切り部と、表面の仕切り部を挟む両側に設けられた噴射口とを備え、延設部が洗浄槽の背面近傍まで移動し、取付部の係止部が変位ノズル部の基端部の内面に係止した場合に、基端部から延設部の仕切り部の内側へのみ送水され、仕切り部の内側に設けられた噴射口から水が噴射されるように構成されているので、洗浄槽の背面に当たって生じる洗浄水の騒音が低減されるとともに、洗浄槽の内側に向かう噴射は行われるので洗浄性能は維持される。
【００３４】
本発明によれば、変位ノズル部が、取付部に回転可能に取り付けられた腕部と、複数の噴射口を有し、腕部の先端部に回転可能に取り付けられた回転噴射部とを備えるので、より均一な噴射性能が得られ、洗浄性能が良好である。
【発明を実施するための最良の形態】
【００３５】
以下、本発明をその実施の形態を示す図面に基づき具体的に説明する。
実施の形態１．
図１は、本発明の実施の形態１に係る食器洗い機１００を示す模式的正面図、図２は、食器洗い機１００を示す模式的側断面図、図３は、変位ノズル部２１を示す拡大斜視図、図４は、食器洗い機１００の一部を示す断面図である。図４において、後述する送水部２０ａは省略している。
食器洗い機の筐体１の内部には、食器１８を収納する洗浄槽２が設けられている。洗浄槽２は、内部に、食器１８を載置する食器かご３と、食器かご３の下側に配置され、食器かご３に載置された食器１８に向けて水を噴射する回転洗浄ノズル１１，１１と、筐体１の背面及び上面に沿って延設された筒状の固定洗浄ノズル２０と、回転洗浄ノズル１１，１１及び固定洗浄ノズル２０へ加圧水を供給する送水ポンプ７と、洗浄槽２内の洗浄水を加熱するヒータ４とを備えている。
食器かご３は、上下に配置された上かご３ａ，下かご３ｂからなる。上かご３ａの幅は下かご３ｂの幅の略半分であり、上かご３は、下面の傾斜角度を変更出来るように構成されている。
【００３６】
洗浄槽２の側壁には、外部から給水口１７を介して洗浄槽２へ給水するための給水管１６が配設されており、給水管１６は給水管１６を開放又は閉塞する給水弁１５を備えている。
【００３７】
洗浄槽２の底面部の正面側右寄り部分には、洗浄槽２の内部に給水された水を貯留する貯留部２ａが凹設されており、貯留部２ａの開口部には残菜フィルタ５が嵌められている。前記送水ポンプ７は、吸い込み管６を介して貯留部２ａに接続されている。送水ポンプ７には、送水ポンプ７に内設されたインペラ７ａを回転させるための正逆回転式の送水モータ８が接続されている。
【００３８】
送水ポンプ７の上部には、吐出管９と排水管１０とが設けられており、吐出管９及び排水管１０の送水ポンプ７への接続口には切替弁が配設されており（図示せず）、いずれか一方の接続口のみが開くように構成されている。
インペラ７ａが正回転する場合、吸い込み管６から吸い込んだ水が、インペラ７ａの回転による送水ポンプ７のケーシング内流れの動圧で、切替弁に排水管１０の接続口を閉鎖させ、吐出管９を介し送水ダクト１９を経由して、回転洗浄ノズル１１，１１及び固定洗浄ノズル２０へ送られる。
インペラ７ａが逆回転する場合、貯留部２ａ内の水が、切替弁に吐出管９の接続口を閉鎖させ、排水管１０へ送られて、外部へ排水される。
【００３９】
洗浄槽２の底面部の正面側左寄り下部には、制御部１２が備えられている。
筐体１の正面の開口部には、ドア１４が設けられている。
【００４０】
固定洗浄ノズル２０は、洗浄槽２の背面に沿って延設された送水部２０ａと、洗浄槽２の上面に沿って延びる上側延設部２０ｂとを備えている。送水部２０ａの中央部より下寄りには、洗浄槽２の中央部に向かって突出した取付部２０ｃが設けられている。そして、上側延設部２０ｂの下面の先端側、及び送水部２０ａの中央部より上寄りの内側には、噴射口２０ｄ，２０ｄ…が設けられている。
【００４１】
固定洗浄ノズル２０の取付部２０ｃには、変位ノズル部２１が取り付けられている。
変位ノズル部２１は、基端部２１ａと、基端部２１ａから延設された延設部２１ｂとからなる。延設部２１ｂの長手方向には、２列に、噴射口２１ｃ，２１ｃ…が設けられている。
取付部２０ｃは、板部に、内側側面に送水口を有する筒部（図示せず）が設けられてなり、この筒部に基端部２１ａが嵌められ、基端部２１ａが筒部の外面に沿って回転するように構成されており、これにより図４に示すように、延設部２１ｂが洗浄槽２の略中央部の水平面内で回転する。
【００４２】
以上のように構成された食器洗い機においては、給水弁１５が開いて、水道水が洗浄槽２へ給水され、貯留部２ａに所定量の水が洗浄水として貯められる。そして、送水モータ８によりインペラ７ａが回転し、前記洗浄水が吸い込み管６を通って送水ポンプ７へ吸水され、吐出管９を介して回転洗浄ノズル１１，１１及び固定洗浄ノズル２０へ送られ、回転洗浄ノズル１１，１１、及び固定洗浄ノズル２０に設けられた噴出口から洗浄槽２内の食器かご３に設置された食器１８に向けて放水される。この放水の反作用により回転洗浄ノズル１１，１１が回転する。
【００４３】
放水された洗浄水は残菜フィルタ５により濾過されて貯留部２ａに戻り、再び送水ポンプ７に吸引される。洗浄水はヒータ４により加熱される。洗浄水は、経路途上に設けられた水温センサ（図示せず）により水温を検出され、制御部１２により、水温及び洗浄時間が制御される。
【００４４】
所定時間、洗浄工程が実施された後、汚れた洗浄水は送水ポンプ７により排水管１０を通され、外部へ排出される。次に、すすぎ工程が実施される。このすすぎ工程は食器１８の汚れ度合いに応じ、任意にすすぎ回数を設定することが可能となっている。
そして、すすぎ工程の終了後に、乾燥工程が実施される。
【００４５】
本実施の形態においては、変位ノズル部２１を所望の位置に動かすことが出来、図１に示すように、変位ノズル部２１を上かご３ａの下側に配置することが出来るので、例えば汚れのひどい食器１８を上かご３ａに載置して、噴射口２１ｃから水を噴射させることで、該食器１８が効果的に洗浄される。
そして、大きな食器１８を下かご３ｂの正面側右寄りに載置する場合も、変位ノズル部２１を取り外すことなく、反対側に動かすことで、この食器１８を問題なく、下かご３ｂに載置して洗浄することが出来る。
また、上かご３ａが下かご３ｂと同様に、洗浄槽２の幅と略等しい幅を有する場合であって、上かご３ａに偏って食器１８を置くときには、これに合わせて、変位ノズル部２１を回転させて水を噴射することにより、より効率良く洗浄される。
【００４６】
実施の形態２．
図５は、本発明の実施の形態２に係る食器洗い機の変位ノズル部２２を示す縦断面図、図６は、変位ノズル部２２を示す横断面図である。図中、実施の形態１に係る食器洗い機と同一部分は同一符号を付して、説明を省略する。
変位ノズル部２２は、略円状の基端部２２ａと、該基端部２２ａに延設され、平面視が略矩形である延設部２２ｂとを備える。基端部２２ａの内面には、複数のノッチ受け２２ｃ，２２ｃ，…が形成されている。基端部２２ａは、取付部２０ｃの上部の筒部２０ｈに嵌められる。
筒部２０ｈは、内側に送水口が設けられており、送水口の両側に、ノッチ受け２２ｃ，２２ｃ，…に嵌合するノッチ２０ｅ，２０ｅを備えている。
【００４７】
本実施の形態においては、基端部２２ａを筒部２０ｈに対し回転させ、ノッチ２０ｅをノッチ受け２２ｃに嵌めることにより、延設部２２ｂが所望の位置で固定される。従って、食器１８の洗浄中に、水圧等により、不用意に変位ノズル部２２の設置位置がずれるのが抑制され、洗浄性能が良好である。
【００４８】
実施の形態３．
図７は、本発明の実施の形態３に係る食器洗い機の変位ノズル部２２を示す横断面図である。図中、図６と同一部分は同一符号を付して、説明を省略する。
本実施の形態においては、基端部２２ａの内面に、筒部２０ｈのノッチ２０ｆ，２０ｆに密着して嵌合するノッチ受け２２ｄ，２２ｄ，…が設けられている。
そして、基端部２２ａを筒部２０ｈに対し回転させ、延設部２２ｂが筐体１に平行な位置まで移動した場合に、基端部２２ａから延設部２２ｂへの送水が遮断されるような位置に、ノッチ受け２２ｄが形成されている。
【００４９】
図７（ａ）に示す位置のノッチ受け２２ｄ，２２ｄにノッチ２０ｆ，２０ｆが嵌合し、延設部２２ｂの突出方向が筐体１（洗浄槽２の背面）に垂直である場合、筒部２０ｈに送られた水は、延設部２２ｂへ送られ、噴射口（図示せず）から水が噴射される。
【００５０】
図７（ｂ）に示す位置のノッチ受け２２ｄ，２２ｄにノッチ２０ｆ，２０ｆが嵌合し、延設部２２ｂの突出方向が筐体１に平行である場合、ノッチ２０ｆ，２０ｆはノッチ受け２２ｄ，２２ｄに密着して嵌合されているので、筒部２０ｈから延設部２２ｂへの送水が完全に遮断される。延設部２２ｂを図７（ｂ）と反対側に移動させ、延設部２２ｂの突出方向が筐体１に平行である場合も同様である。
この位置に延設部２２ｂがある場合、水が噴射されると、筐体１（洗浄槽２の背面）を叩き、騒音が生じる。本実施の形態においては、変位ノズル部２２が洗浄槽２の背面近くまで移動した場合に、変位ノズル部２２への送水路が断たれるので、変位ノズル部２２からの噴射が停止し、騒音の低減を行うことが可能となる。
【００５１】
図７（ｃ）に示す位置のノッチ受け２２ｄ，２２ｄにノッチ２０ｆ，２０ｆが嵌合している場合、筒部２０ｈから延設部２２ｂへの送水は遮断されず、噴射口から水が噴射される。
【００５２】
なお、本実施の形態においては、筒部２０ｈのノッチ２０ｆ，２０ｆが基端部２２ａのノッチ受け２２ｄに略密着して嵌合されるノッチ構造を有する場合につき説明したが、これに限定されるものではなく、延設部２２ｂが洗浄槽２の背面近傍まで移動した場合に、他の構造により、噴射口から水が噴射されないようにすることにしてもよい。但し、上述のノッチ構造を有する場合、止水性が良好であり、延設部２２ｂへの送水が遮断されたとき、変位ノズル部２２以外の固定洗浄ノズル２０に設けられた噴射口２０ｄ，２０ｄからの噴射水の勢いが強くなり、洗浄性能の低減が抑制されるので、好ましい。
【００５３】
実施の形態４．
図８は、本発明の実施の形態４に係る食器洗い機の変位ノズル部２３を示す横断面図である。
変位ノズル部２３は、略円状の基端部２３ａと、該基端部２３ａに延設され、平面視が略矩形である延設部２３ｂと、延設部２３ｂの延びる方向に内設された仕切り部２３ｄとを備えている。延設部２３ｂには、仕切り部２３ｄを境界として、第１水路２３ｅと第２水路２３ｆが形成されている。そして、延設部２３ｂの表面には、第１水路２３ｅ及び第２水路２３ｆに対応して、噴射口が設けられている（図示せず）。
【００５４】
基端部２３ａは、固定洗浄ノズルの取付部（図示せず）の上部の筒部２０ｈに嵌められている。
筒部２０ｈは、内側に送水口が設けられており、送水口の両側に、基端部２３ａの内面２３ｃに係止される係止部２０ｇ，２０ｇを備えている。
【００５５】
図８（ａ）に示すように、延設部２３ｂの突出方向が筐体１に垂直である場合、筒部２０ｈに送られた水は、第１水路２３ｅ及び第２水路２３ｆへ送られ、仕切り部２３ｄの両側の噴射口から水が噴射される。
【００５６】
図８（ｂ）に示すように、延設部２３ｂの突出方向が筐体１に平行である場合、一方の係止部２０ｇは基端部２３ａの内面２３ｃに密着して係止され、他方の係止部２０ｇは、基端部２３ａから第２水路２３ｆへの水の流れを堰き止めているので、第２水路２３ｆへは送水されず、第２水路２３ｆの上側に設けられた噴射口から筐体１の内面（洗浄槽２の背面）へ向けては水が噴射されない。従って、筐体１の内面を噴射水が叩くことにより生じる騒音の発生が防止される。このとき、第１水路２３ｅへは送水されるので、洗浄槽２内には水が噴射され、洗浄効果は損なわれない。
【００５７】
図８（ｃ）に示すように、延設部２３ｂを図８（ｂ）と反対側に移動させ、延設部２２ｂの突出方向が筐体１に平行である場合、第１水路２３ｅへは送水されず、第１水路２３ｅの上側に設けられた噴射口から筐体１の内面へ向けては水が噴射されない。従って、筐体１の内面を噴射水が叩くことにより生じる騒音の発生が防止される。このとき、第２水路２３ｆへは送水されるので、洗浄槽２内には水が噴射され、洗浄効果は損なわれない。
【００５８】
なお、基端部２３ａは、筒部２０ｈにノッチ機構により嵌められることにしてもよい。      
【００５９】
実施の形態５．
図９は、本発明の実施の形態５に係る食器洗い機１０１を示す模式的側断面図、図１０は、食器洗い機１０１の一部を示す断面図である。図中、図２と同一部分は同一符号を付して、説明を省略する。
本実施の形態の食器洗い機１０１においては、固定洗浄ノズル２０の取付部２０ｃに、変位ノズル部２４が設けられている。
変位ノズル部２４は、取付部２０ｃに回転可能に取り付けられた腕部２４ａと、長手方向に２列に設けられた噴射口２４ｃ，２４ｃ…を有し、腕部２４ａの先端部に回転可能に取り付けられた回転噴射部２４ｂとを備えている。
【００６０】
本実施の形態においては、回転洗浄ノズル１１，１１、及び固定洗浄ノズル２０に設けられた噴出口から、食器かご３に設置された食器１８に向けて放水されたときに、放水の反作用により回転洗浄ノズル１１，１１とともに、回転噴射部２４ｂも回転するので、より均一な噴射性能が得られ、洗浄性能が良好である。そして、食器かご３に載置された食器１８により回転が妨げられない位置に回転噴射部２４ｂを配することが出来、使い勝手が良好である。
また、この変位ノズル部２４に、実施の形態２及び３のノッチ機構を取り入れることで、さらなる性能、使用性の向上を図ることが出来る。
【００６１】
なお、前記実施の形態１乃至５においては、変位ノズル部２１、２２、２３、及び腕部２４ａを手動により回転移動させる場合につき説明したがこれに限定されるものではなく、制御部１２により回転移動させることにしてもよい。
【図面の簡単な説明】
【００６２】
【図１】本発明の実施の形態１に係る食器洗い機を示す模式的正面図である。
【図２】食器洗い機を示す模式的側断面図である。
【図３】変位ノズル部を示す拡大斜視図である。
【図４】食器洗い機の一部を示す断面図である。
【図５】本発明の実施の形態２に係る食器洗い機の変位ノズル部を示す縦断面図である。
【図６】変位ノズル部を示す横断面図である。
【図７】本発明の実施の形態３に係る食器洗い機の変位ノズル部を示す横断面図である。
【図８】本発明の実施の形態４に係る食器洗い機の変位ノズル部を示す横断面図である。
【図９】本発明の実施の形態５に係る食器洗い機を示す模式的側断面図である。
【図１０】食器洗い機の一部を示す断面図である。
【図１１】従来の食器洗い機を示す模式的正面図である。
【符号の説明】
【００６３】
１  筐体
２  洗浄槽
３  食器かご
４  ヒータ
５  残菜フィルタ
６  吸い込み管
７  送水ポンプ
８  送水モータ
９  吐出管
１０  排水管
１１  回転洗浄ノズル
１２  制御部
１４  ドア
１５  給水弁
１６  給水管
１７  給水口
１８  食器
１９  送水ダクト
２０  固定洗浄ノズル
２０ａ  送水部
２０ｅ、２０ｆ  ノッチ
２０ｇ  係止部
２１、２２、２３、２４  変位ノズル部
２１ａ、２２ａ、２３ａ  基端部
２１ｂ、２２ｂ、２３ｂ  延設部
２０ｄ、２１ｃ、２４ｃ  噴射口
２２ｃ、２２ｄ  ノッチ受け
２３ｃ  内面
２３ｄ  仕切り部
２３ｅ  第１水路
２３ｆ  第２水路
２４ａ  腕部
２４ｂ  回転噴射部
１００、１０１  食器洗い機
【図１】
2008005897.tif 000003
【図２】
2008005897.tif 000004
【図３】
2008005897.tif 000005
【図４】
2008005897.tif 000006
【図５】
2008005897.tif 000007
【図６】
2008005897.tif 000008
【図７】
2008005897.tif 000009
【図８】
2008005897.tif 000010
【図９】
2008005897.tif 000011
【図１０】
2008005897.tif 000012
【図１１】
2008005897.tif 000013